【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
自己集合性ペプチドを含む、生物組織への癒着を軽減するための自己集合性ペプチド溶液であって、有効量で該生物組織に投与されることを特徴とし、該自己集合性ペプチドが約７アミノ酸から３２アミノ酸の間の長さであり、該自己集合性ペプチド溶液が生理的条件下でヒドロゲルを形成し、該ヒドロゲルが該生物組織への癒着を軽減する、溶液。
【請求項２】
自己集合性ペプチドを含む、生物組織間の癒着を軽減するための自己集合性ペプチド溶液であって、有効量で手術部位の生物組織に投与されることを特徴とし、該自己集合性ペプチドが約７アミノ酸から３２アミノ酸の間の長さであり、該自己集合性ペプチド溶液が生理的条件下でヒドロゲルを形成し、該ヒドロゲルが該手術部位の該生物組織への別の生物組織の癒着を軽減する、溶液。
【請求項３】
前記生物組織が心外膜を含む、請求項１または２に記載の溶液。
【請求項４】
前記生物組織がアブレーション、好ましくは心室頻拍アブレーションに供される心外膜を含む、請求項３に記載の溶液。
【請求項５】
前記自己集合性ペプチドが、疎水性アミノ酸と親水性アミノ酸とが交互に現れる約１２個から約１６個のアミノ酸を含む、請求項１〜４のいずれかに記載の溶液。
【請求項６】
前記自己集合性ペプチドが、ＲＡＤＡ、ＩＥＩＫ、ＴＴＴＴ、ＡＴＡＴ、ＴＶＴＶ、ＡＳＡＳ、ＳＳＳＳ、ＶＶＶＴＴＴＴ、およびこれらの組合せから選択される配列を含む、請求項１〜４のいずれかに記載の溶液。
【請求項７】
前記自己集合性ペプチドが、（ＲＡＤＡ）４、（ＩＥＩＫ）３Ｉ、および（ＫＬＤＬ）３から選択される配列を含む、請求項１〜４のいずれかに記載の溶液。
【請求項８】
前記自己集合性ペプチドが、前記溶液の約０．１から約１０ｗ／ｖ％または前記溶液の約０．１から約３．５ｗ／ｖ％である、請求項１〜７のいずれかに記載の溶液。
【請求項９】
前記自己集合性ペプチドが、前記溶液の約１、約２．５、または約３ｗ／ｖ％である、請求項１〜７のいずれかに記載の溶液。
【請求項１０】
前記有効量が、標的区域の１ｃｍ２あたりおよそ０．１ｍＬから１ｃｍ２あたりおよそ５ｍＬである、請求項１〜９のいずれかに記載の溶液。
【請求項１１】
前記有効量が、標的区域の１ｃｍ２あたりおよそ１ｍＬである、請求項１〜９のいずれかに記載の溶液。
【請求項１２】
前記ヒドロゲルが、標的区域への前記自己集合性ペプチド溶液の投与の前に形成される、請求項１〜１１のいずれかに記載の溶液。
【請求項１３】
前記ヒドロゲルが、標的区域への前記自己集合性ペプチド溶液の投与の後に形成される、請求項１〜１１のいずれかに記載の溶液。
【請求項１４】
前記溶液が生物活性剤をさらに含む、請求項１〜１３のいずれかに記載の溶液。
【請求項１５】
前記溶液が細胞および／または薬物を実質的に含まない、請求項１〜１３のいずれかに記載の溶液。
【請求項１６】
前記自己集合性ペプチド溶液がｉｎ  ｖｉｖｏで投与される、請求項１〜１５のいずれか一項に記載の溶液。
【請求項１７】
前記生物組織がヒト組織である、請求項１〜１５のいずれか一項に記載の溶液。
【請求項１８】
生物組織への癒着を軽減するための、有効量で自己集合性ペプチドを含む自己集合性ペプチド溶液であって、該自己集合性ペプチドが約７アミノ酸から３２アミノ酸の間の長さであり、該自己集合性ペプチド溶液が生理的条件下でヒドロゲルを形成し、該ヒドロゲルが該生物組織への癒着を軽減する、溶液。
【請求項１９】
生物組織への癒着を軽減するための、有効量で自己集合性ペプチドを含む自己集合性ペプチド溶液であって、該自己集合性ペプチドが約７アミノ酸から３２アミノ酸の間の長さであり、該自己集合性ペプチド溶液が生理的条件下でヒドロゲルを形成し、該ヒドロゲルが手術部位の該生物組織への別の生物組織の癒着を軽減する、溶液。
【請求項２０】
前記生物組織が心外膜を含む、請求項１８または１９に記載の溶液。
【請求項２１】
前記生物組織がアブレーション、好ましくは心室頻拍アブレーションに供される心外膜を含む、請求項１８または１９に記載の溶液。
【請求項２２】
前記自己集合性ペプチドが、疎水性アミノ酸と親水性アミノ酸とが交互に現れる約１２個から約１６個のアミノ酸を含む、請求項１８〜２１のいずれかに記載の溶液。
【請求項２３】
前記自己集合性ペプチドが、ＲＡＤＡ、ＩＥＩＫ、ＴＴＴＴ、ＡＴＡＴ、ＴＶＴＶ、ＡＳＡＳ、ＳＳＳＳ、ＶＶＶＴＴＴＴ、およびこれらの組合せから選択される配列を含む、請求項１８〜２１のいずれかに記載の溶液。
【請求項２４】
前記自己集合性ペプチドが、（ＲＡＤＡ）４、（ＩＥＩＫ）３Ｉ、および（ＫＬＤＬ）３から選択される配列を含む、請求項１８〜２１のいずれかに記載の溶液。
【請求項２５】
前記自己集合性ペプチドが、前記溶液の約０．１から約１０ｗ／ｖ％または前記溶液の約０．１から約３．５ｗ／ｖ％である、請求項１８〜２４のいずれかに記載の溶液。
【請求項２６】
前記自己集合性ペプチドが、前記溶液の約１、約２．５、または約３ｗ／ｖ％である、請求項１８〜２４のいずれかに記載の溶液。
【請求項２７】
前記有効量が、標的区域の１ｃｍ２あたりおよそ０．１ｍＬから１ｃｍ２あたりおよそ５ｍＬである、請求項１８〜２６のいずれかに記載の溶液。
【請求項２８】
前記有効量が、標的区域の１ｃｍ２あたりおよそ１ｍＬである、請求項１８〜２６のいずれかに記載の溶液。
【請求項２９】
前記ヒドロゲルが、標的区域への前記自己集合性ペプチド溶液の投与の前に形成される、請求項１８〜２８のいずれかに記載の溶液。
【請求項３０】
前記ヒドロゲルが、標的区域への前記自己集合性ペプチド溶液の投与の後に形成される、請求項１８〜２８のいずれかに記載の溶液。
【請求項３１】
前記溶液が生物活性剤をさらに含む、請求項１８〜３０のいずれかに記載の溶液。
【請求項３２】
前記溶液が細胞および／または薬物を実質的に含まない、請求項１８〜３０のいずれかに記載の溶液。
【請求項３３】
前記自己集合性ペプチド溶液がｉｎ  ｖｉｖｏで投与される、請求項１８〜３２のいずれか一項に記載の溶液。
【請求項３４】
前記生物組織がヒト組織である、請求項１８〜３２のいずれか一項に記載の溶液。
【請求項３５】
前記ヒドロゲルが腹部内の癒着形成を処置、予防および／または軽減する、請求項１、２、５〜１９、２２〜３４のいずれかに記載の溶液。
【請求項３６】
前記生物組織が、腹膜内部、盲腸、腸、優先的には大腸、および／または結腸を含む、請求項１、２、５〜１９、２２〜３４のいずれかに記載の溶液。
【請求項３７】
前記ヒドロゲルが骨盤の癒着形成を処置、予防および／または軽減する、請求項１、２、５〜１９、２２〜３４のいずれかに記載の溶液。
【請求項３８】
前記ヒドロゲルが産科または婦人科の手技における癒着形成を処置、予防および／または軽減する、請求項１、２、５〜１９、２２〜３４のいずれかに記載の溶液。
【請求項３９】
前記産科または婦人科の手技が、帝王切開分娩、腹式子宮摘出術、優先的には筋腫摘出術、卵巣嚢胞摘出術、または侵襲性婦人科悪性腫瘍のための手術を含む、請求項３８に記載の溶液。
【請求項４０】
癒着形成を処置、予防および／または軽減することが、小腸閉塞、不妊症、慢性疼痛、および性交疼痛を処置、予防および／または軽減する、請求項３７〜３９のいずれか一項に記載の溶液。
【手続補正２】
【補正対象書類名】明細書
【補正対象項目名】００４５
【補正方法】変更
【補正の内容】
【００４５】
本技術のこれらおよびその他の利点は、以下の記載を参照したときに明らかとなる。
本発明は、例えば以下の項目を提供する。
（項目１）
生物組織への癒着を軽減するための方法であって、有効量の自己集合性ペプチド溶液を該生物組織に投与することを含み、該自己集合性ペプチドが約７アミノ酸から３２アミノ酸の間の長さであり、該自己集合性ペプチド溶液が生理的条件下でヒドロゲルを形成し、該ヒドロゲルが該生物組織への癒着を軽減する、方法。
（項目２）
生物組織間の癒着を軽減するための方法であって、有効量の自己集合性ペプチド溶液を手術部位の生物組織に投与することを含み、該自己集合性ペプチドが約７アミノ酸から３２アミノ酸の間の長さであり、該自己集合性ペプチド溶液が生理的条件下でヒドロゲルを形成し、該ヒドロゲルが該手術部位の該生物組織への別の生物組織の癒着を軽減する、方法。
（項目３）
前記生物組織が心外膜を含む、項目１または２に記載の方法。
（項目４）
前記生物組織がアブレーション、好ましくは心室頻拍アブレーションに供される心外膜を含む、項目３に記載の方法。
（項目５）
前記自己集合性ペプチドが、疎水性アミノ酸と親水性アミノ酸とが交互に現れる約１２個から約１６個のアミノ酸を含む、項目１〜４のいずれかに記載の方法。
（項目６）
前記自己集合性ペプチドが、ＲＡＤＡ、ＩＥＩＫ、ＴＴＴＴ、ＡＴＡＴ、ＴＶＴＶ、ＡＳＡＳ、ＳＳＳＳ、ＶＶＶＴＴＴＴ、およびこれらの組合せから選択される配列を含む、項目１〜４のいずれかに記載の方法。
（項目７）
前記自己集合性ペプチドが、（ＲＡＤＡ）４、（ＩＥＩＫ）３Ｉ、および（ＫＬＤＬ）３から選択される配列を含む、項目１〜４のいずれかに記載の方法。
（項目８）
前記自己集合性ペプチドが、前記溶液の約０．１から約１０ｗ／ｖ％または前記溶液の約０．１から約３．５ｗ／ｖ％である、項目１〜７のいずれかに記載の方法。
（項目９）
前記自己集合性ペプチドが、前記溶液の約１、約２．５、または約３ｗ／ｖ％である、項目１〜７のいずれかに記載の方法。
（項目１０）
前記有効量が、標的区域の１ｃｍ２あたりおよそ０．１ｍＬから１ｃｍ２あたりおよそ５ｍＬである、項目１〜９のいずれかに記載の方法。
（項目１１）
前記有効量が、標的区域の１ｃｍ２あたりおよそ１ｍＬである、項目１〜９のいずれかに記載の方法。
（項目１２）
前記ヒドロゲルが、標的区域に前記自己集合性ペプチド溶液を投与する前に形成される、項目１〜１１のいずれかに記載の方法。
（項目１３）
前記ヒドロゲルが、標的区域に前記自己集合性ペプチド溶液を投与した後に形成される、項目１〜１１のいずれかに記載の方法。
（項目１４）
前記溶液が生物活性剤をさらに含む、項目１〜１３のいずれかに記載の方法。
（項目１５）
前記溶液が細胞および／または薬物を実質的に含まない、項目１〜１３のいずれかに記載の方法。
（項目１６）
前記自己集合性ペプチド溶液がｉｎ  ｖｉｖｏで投与される、項目１〜１５のいずれか一項に記載の方法。
（項目１７）
前記生物組織がヒト組織である、項目１〜１５のいずれか一項に記載の方法。
（項目１８）
生物組織への癒着を軽減するための有効量の自己集合性ペプチド溶液の使用であって、該自己集合性ペプチドが約７アミノ酸から３２アミノ酸の間の長さであり、該自己集合性ペプチド溶液が生理的条件下でヒドロゲルを形成し、該ヒドロゲルが該生物組織への癒着を軽減する、使用。
（項目１９）
生物組織への癒着を軽減するための有効量の自己集合性ペプチド溶液の使用であって、該自己集合性ペプチドが約７アミノ酸から３２アミノ酸の間の長さであり、該自己集合性ペプチド溶液が生理的条件下でヒドロゲルを形成し、該ヒドロゲルが手術部位の該生物組織への別の生物組織の癒着を軽減する、使用。
（項目２０）
前記生物組織が心外膜を含む、項目１６または１７に記載の使用。
（項目２１）
前記生物組織がアブレーション、好ましくは心室頻拍アブレーションに供される心外膜を含む、項目１６または１７に記載の使用。
（項目２２）
前記自己集合性ペプチドが、疎水性アミノ酸と親水性アミノ酸とが交互に現れる約１２個から約１６個のアミノ酸を含む、項目１６〜２１のいずれかに記載の使用。
（項目２３）
前記自己集合性ペプチドが、ＲＡＤＡ、ＩＥＩＫ、ＴＴＴＴ、ＡＴＡＴ、ＴＶＴＶ、ＡＳＡＳ、ＳＳＳＳ、ＶＶＶＴＴＴＴ、およびこれらの組合せから選択される配列を含む、項目１６〜２１のいずれかに記載の使用。
（項目２４）
前記自己集合性ペプチドが、（ＲＡＤＡ）４、（ＩＥＩＫ）３Ｉ、および（ＫＬＤＬ）３から選択される配列を含む、項目１６〜２１のいずれかに記載の使用。
（項目２５）
前記自己集合性ペプチドが、前記溶液の約０．１から約１０ｗ／ｖ％または前記溶液の約０．１から約３．５ｗ／ｖ％である、項目１６〜２４のいずれかに記載の使用。
（項目２６）
前記自己集合性ペプチドが、前記溶液の約１、約２．５、または約３ｗ／ｖ％である、項目１６〜２４のいずれかに記載の使用。
（項目２７）
前記有効量が、標的区域の１ｃｍ２あたりおよそ０．１ｍＬから１ｃｍ２あたりおよそ５ｍＬである、項目１６〜２６のいずれかに記載の使用。
（項目２８）
前記有効量が、標的区域の１ｃｍ２あたりおよそ１ｍＬである、項目１６〜２６のいずれかに記載の使用。
（項目２９）
前記ヒドロゲルが、標的区域に前記自己集合性ペプチド溶液を投与する前に形成される、項目１６〜２８のいずれかに記載の使用。
（項目３０）
前記ヒドロゲルが、標的区域に前記自己集合性ペプチド溶液を投与した後に形成される、項目１６〜２８のいずれかに記載の使用。
（項目３１）
前記溶液が生物活性剤をさらに含む、項目１６〜３０のいずれかに記載の使用。
（項目３２）
前記溶液が細胞および／または薬物を実質的に含まない、項目１６〜３０のいずれかに記載の使用。
（項目３３）
前記自己集合性ペプチド溶液がｉｎ  ｖｉｖｏで投与される、項目１６〜３２のいずれか一項に記載の使用。
（項目３４）
前記生物組織がヒト組織である、項目１６〜３２のいずれか一項に記載の使用。
（項目３５）
前記ヒドロゲルが腹部内の癒着形成を処置、予防および／または軽減する、項目１、２、５〜１７のいずれかに記載の方法または項目１８、１９、２２〜３４のいずれかに記載の使用。
（項目３６）
前記生物組織が、腹膜内部、盲腸、腸、優先的には大腸、および／または結腸を含む、項目１、２、５〜１７のいずれかに記載の方法または項目１８、１９、２２〜３４のいずれかに記載の使用。
（項目３７）
前記ヒドロゲルが骨盤の癒着形成を処置、予防および／または軽減する、項目１、２、５〜１７のいずれかに記載の方法または項目１８、１９、２２〜３４のいずれかに記載の使用。
（項目３８）
前記ヒドロゲルが産科または婦人科の手技における癒着形成を処置、予防および／または軽減する、項目１、２、５〜１７のいずれかに記載の方法または項目１８、１９、２２〜３４のいずれかに記載の使用。
（項目３９）
前記産科または婦人科の手技が、帝王切開分娩、腹式子宮摘出術、優先的には筋腫摘出術、卵巣嚢胞摘出術、または侵襲性婦人科悪性腫瘍のための手術を含む、項目３８に記載の方法。
（項目４０）
癒着形成を処置、予防および／または軽減することが、小腸閉塞、不妊症、慢性疼痛、および性交疼痛を処置、予防および／または軽減する、項目３７〜３９のいずれか一項に記載の方法。